(57)【要約】      （修正有）【課題】遠近両用眼鏡として、近視矯正用の単焦点レンズに遠視矯正領域を有するレンズを積重するための小玉レンズを提供する。【解決手段】近視矯正用の単焦点眼鏡レンズＬに積重することにより、かかる積重領域が遠視矯正用領域となる様に表裏面の曲率を調製した小玉レンズ本体２の表面又は裏面に透光性を有する粘着層３を設け、該粘着層３により、前記眼鏡レンズＬの対物面Ｏ又は対眼面に着脱自在と成すことによって、手元作業時には小玉レンズ１を眼鏡レンズＬに貼着して積重し、手元近くの視界を確保し、また自動車の運転時、階段の下り時、屋外歩行時等の遠方及び中間距離に注意を払わなければならないときには、小玉レンズ１を取り外して、広く明瞭な視界を確保する。【選択図】図２
0003158137.tif 000002
【実用新案登録請求の範囲】
【請求項１】
近視矯正用の単焦点眼鏡レンズに積重させることにより、かかる積重領域が遠視矯正用領域となる様に表裏面の曲率を調製した小玉レンズ本体の表面又は裏面に透光性を有する粘着層を設け、該粘着層により、前記眼鏡レンズの対物面又は対眼面に着脱自在と成したことを特徴とする小玉レンズ。
【考案の詳細な説明】
【技術分野】
【０００１】
本考案は、近視矯正用の眼鏡レンズに着脱使用される小玉レンズに関する。
【背景技術】
【０００２】
従来より、遠近両用の眼鏡レンズとして、二重焦点レンズと累進多焦点レンズが知られている。
二重焦点レンズは、近視矯正用の台玉レンズと、該台玉レンズの一部に設けられた小玉レンズとから成り、この小玉レンズ部位が遠視（老眼）矯正用の領域となる（例えば、特許文献１を参照）。
小玉レンズは、台玉レンズを研削加工することにより形成されたり、或いは、モールド成形により一体成形されたり、また台玉レンズと小玉レンズを夫々個別に成形し、次いで台玉レンズに小玉レンズを固着し一体化していた。
又、累進多焦点レンズは、境目のない遠近両用レンズとも称されており、一枚のレンズの中に、近視矯正用領域と、遠視矯正用領域と、その中間領域とが設けられている（例えば、特許文献２を参照）。
この累進多焦点レンズは、対物面（被視体に対向する側の面）及び対眼面（眼球に対向する側の面）の曲率を遂次的に変化させることで、上記各領域を形成しているため、一つのレンズでどの距離にでも焦点を合わせることが出来る。
又、二重焦点レンズは、台玉レンズと小玉レンズの境目に段差があり、この境界が見えてしまうが、これに対し、累進多焦点レンズは、外見上の境目がなく、ファッション性に優れている。
【先行技術文献】
【特許文献】
【０００３】
【特許文献１】特開平８−９４９８０号公報（図１及び図２）
【特許文献２】特開２００９−１３９７８６号公報（図１及び図２、〔００１１〕〜〔０１５〕）
【考案の概要】
【考案が解決しようとする課題】
【０００４】
ところが、上記の遠近両面レンズは、両タイプ共に使いこなすためには、習熟が必要であり、二重焦点レンズの場合、被視体を目だけで追うと台玉レンズと小玉レンズの境目が視界に入り、これが視界を妨げ、煩わしさを否めず、また累進多焦点レンズの場合、中間領域を透すと、被視体が歪んで見えたり、顔を横に振ると揺れを感じることがある。
この様な問題を回避するためには、本来なら近視矯正用の眼鏡と、遠視矯正用の眼鏡を共に用意し、必要に応じ掛け換える様にすれば良いが、特に外出時に掛け換える眼鏡を常に携帯しなければならないことから、これを嫌い、上記問題点に妥協し、遠近両用眼鏡を利用しているのが現状である。
つまり、遠近両用眼鏡を利用する際には、通常の人の動きではなく、被視体に常に意識的に顔面を正対させ、被視体との距離に応じて、眼鏡レンズ中の適切な部位を透して見る様にするのである。
しかしながら、近くを見る場合は、読書や筆記等の手元の作業であるため、例え誤ってレンズの境界が視界を妨げたり、被視体像が歪んで視界が不明瞭になっても、被視体の認識が遅れて、煩わしさを感じるだけであるが、遠くを見る場合は、自動車の運転時、階段の下り時、大勢が往来する屋外歩行時等の時であり、視界を妨げられることで、衝突、転倒等の危険を伴うとの問題があった。
【課題を解決するための手段】
【０００５】
本考案は、近視矯正用の単焦点眼鏡レンズに積重することにより、かかる積重領域が遠視矯正用領域となる様に表裏面の曲率を調製した小玉レンズ本体の表面又は裏面に透光性を有する粘着層を設け、該粘着層により、前記眼鏡レンズの対物面又は対眼面に着脱自在と成すことによって、手元作業時には小玉レンズを眼鏡レンズに貼着して積重し、手元近くの視界を確保し、また自動車の運転時、階段の下り時、屋外歩行時等の遠方及び中間距離に注意を払わなければならないときには、小玉レンズを取り外して、広く明瞭な視界を確保する様にして、上記課題を解決する。
【考案の効果】
【０００６】
要するに本考案は、近視矯正用の単焦点眼鏡レンズに積重することにより、かかる積重領域が遠視矯正用領域となる様に表裏面の曲率を調製した小玉レンズ本体の表面又は裏面に透光性を有する粘着層を設け、該粘着層により、前記眼鏡レンズの対物面又は対眼面に着脱自在と成したので、自動車の運転時、階段の下り時、屋外歩行時等の遠方及び中間距離に注意を払わなければならないときには、眼鏡レンズから本発明品を取り外せば、通常の単焦点レンズであるため、側方まで広く明瞭な視界となり、何ら特別な要領を覚えなくとも、つまり被視体に顔面を正対させなくとも、眼球の移動により被視体を素早く視認することができ安全である。
一方、読書や筆記、裁縫、編み物等の手元作業時には、通常の近視矯正用眼鏡レンズに本考案品を貼着することにより、遠視矯正用領域を形成し、手元近くの視界を確保することが出来る。
又、手元作業の開始前に本考案品を貼着するとの行為により、使用者にこれから遠視矯正用領域を使用するとの意識を持たせることが出来るため、近くを見る要領を短期間で習得することが出来る。
又、単焦点の近視矯正用レンズより二重焦点レンズは高価であり、これより更に累進多焦点レンズは高価であるが、本考案品を使用すれば、従前より使用中の眼鏡に本考案品を貼着するだけで良いため、遠視矯正用眼鏡や遠近両用眼鏡を新たに用意する場合より、使用者の経費負担を軽くすることが出来る。
更には、小型で嵩張ることなく、且つ、軽量であることから、外出時の携帯が容易である等その実用的効果甚だ大である。
【図面の簡単な説明】
【０００７】
【図１】本考案に係る小玉レンズの使用状態図である。
【図２】眼鏡レンズの対物面に貼着する小玉レンズの縦断面図である。
【図３】眼鏡レンズの対眼面に貼着する小玉レンズの縦断面図である。
【図４】眼鏡レンズの対眼面に貼着する他の小玉レンズの縦断面図である。
【考案を実施するための形態】
【０００８】
図１及び２に示す様に、本考案の小玉レンズ１は、小玉レンズ本体２の裏面に粘着層３を設けて成り、該粘着層３により、小玉レンズ１を近視矯正用眼鏡レンズＬの対物面Ｏに貼着している。
尚、図２（及び後説の図３並びに図４）において、左側は対物面Ｏ（被視体に対向する面）側、右側は対眼面Ｅ（人の目に対向する面）側である。
【０００９】
粘着層３は、透光性を有し、且つ、粘着性に優れた素材から成り、その粘着強度を他の物品への貼着、取り外しを繰り返し可能な程度に調製することにより、小玉レンズ１を眼鏡レンズＬに着脱自在と成している。
この様な素材としては、高分子化合物のゲル、例えばシリコーンゲル、ポリスチレンゲル、ポリウレタンゲル等が好適である。
【００１０】
尚、図中では粘着層３の認識を容易にするため、厚く示してあるが、粘着層３の厚みは透光性、並びに、小玉レンズ本体２の表裏面曲率の調製により小玉レンズ本体２に付与した光学特性を阻害しない程度の厚みが良く、例えば１ｍｍ以下、好ましくは０．５ｍｍ以下で良く、また十分な透光性を確保できれば、着色の有無は問わない。
【００１１】
小玉レンズ本体２は、従前のプラスチック製眼鏡レンズの技術を利用したもので良く、例えば、適切な屈折率を有する熱硬化性樹脂から小玉レンズ基材を成形し、傷付防止のために、前記小玉レンズ基材にアリルジグリコールカーボネート樹脂等の合成樹脂にてコーティングを施して、小玉レンズ本体２とすれば良い。
【００１２】
小玉レンズ本体２は、近視矯正用の単焦点眼鏡レンズＬに積重させることにより、かかる積重領域が遠視矯正用領域となる様に、小玉レンズ本体２の表裏面の曲率が調製されている。
【００１３】
図１及び２では、小玉レンズ本体２の裏面に粘着層３を設け、かかる小玉レンズ１を眼鏡レンズＬの対物面Ｏに貼着する場合を例示したが、図３及び４に示す様に、粘着層３を小玉レンズ本体２の表面に設け、かかる小玉レンズ１を眼鏡レンズＬの対眼面Ｅに貼着する様にしても良く、また図４に示す様に、小玉レンズ本体２の裏面を凸状に調製しても良く、要するに、小玉レンズ本体２の表裏面の曲率は、眼鏡レンズＬに貼着する位置、並びに眼鏡レンズＬの対物面Ｏ及び対眼面Ｅの曲率との相対関係により、眼鏡レンズＬと小玉レンズ１との積重領域が遠視（老眼）矯正用領域となる様に調製されていれば良い。
【符号の説明】
【００１４】
１  小玉レンズ
２  小玉レンズ本体
３  粘着層
Ｌ  眼鏡レンズ
Ｏ  対物面
Ｅ  対眼面
【図１】
0003158137.tif 000003
【図２】
0003158137.tif 000004
【図３】
0003158137.tif 000005
【図４】
0003158137.tif 000006